(57)【要約】【課題】  電気浸透効果を減少することなく、変化する地質材料に応じて効率よく高含水土砂の脱水処理を行い得る高含水土砂脱水装置と方法を提供する。【解決手段】  高含水土砂貯留用の土槽１と、土槽の内面に沿って設けた透水性陰極３と、土槽に沿って互いにかつ陰極の内面に対し等間隔に配列した複数の電極群でなる陽極６および、または透水性陽陰両極化電極群２０と、陰極と陽極電極群とに接続して直流電圧を両極間に印加する直流電源装置１０と、透水性陰極３および、または透水性両極化電極群２０の内部に接続して電圧印加による電気浸透で高含水土砂から陰極内に浸透した水を集水し土槽外に排水する排水装置１５とを備える高含水土砂脱水装置。また、この装置を用いて、陽極電極群６ないし両極化電極群２０のうち中心に配列した電極群からその両側に隣接する対の電極群を経て最外側の対の電極群まで、少なくとも順次低下する電圧を両極間に順次印加する方法。【選択図】    図１
2005095814.tif 000002
【特許請求の範囲】
【請求項１】
上部を開口し、地下、半地下又は地上に設置されて高含水土砂（Ｇ）を貯留する土槽（１）と、
土槽（１）の内面を覆う側面部（３Ｗ，３Ｗ’，３Ｂ，３Ｂ’）と床面部（３ｄ）からなる透水性の陰極（３）と、
陰極（３）と離隔してその内方に設置され、それぞれほぼ等距離に配列した複数の陽極群（６ａ，６ｂ，６ｃ，６ｎ，６ｂ’，６ｃ’，６ｎ’）および、または複数の透水性陽陰両極化電極群（２０ａ，２０ｂ，２０ｃ，２０ｂ’，２０ｃ’）と、
陰極（３）と複数の陽極群（６）および、または複数の透水性陽陰両極化電極群（２０）とに接続して直流電圧を両極間に印加する直流電源装置（１０）と、
電圧印加による電気浸透で高含水土砂（Ｇ）から透水性陰極（３）および、または透水性陽陰両極化電極群（２０ａ，２０ｂ，２０ｃ，２０ｂ’，２０ｃ’）内に浸透した水を集水して土槽外に排水する排水装置（１５）と
を備えることを特徴とする高含水土砂脱水装置。  
【請求項２】
土槽（１）の上部開口を塞ぐと共に複数の陽極群（６ａ，６ｂ，６ｃ，６ｎ，６ｂ’，６ｃ’，６ｎ’）を所定位置に保持する絶縁板（６−１）を更に備え、絶縁板（６−１）は土槽内の高含水土砂に接する側に透水性のストレーナ層（６−３）を有し、陰極（３）の各面部（３Ｗ，３Ｗ’，３Ｂ，３Ｂ’，３ｄ）の内部に延長する集水管（４）および絶縁板（６−１）のストレーナ層（６−３）の内部に通ずる集水管（７）と、排水用の真空ポンプ装置（１５）とにより陰極内に浸透した水と共に土槽内の高含水土砂の上層に分離した水をも集水し得ることを特徴とする請求項１記載の高含水土砂脱水装置。
【請求項３】
複数の透水性陽陰両極化電極群（２０ａ，２０ｂ，２０ｃ，２０ｂ’，２０ｃ’）はそれぞれ表面に集水孔（２３）を有するストレーナ層（２４）と、ストレーナ層（２４）内に浸透した水を集水して真空ポンプ装置（１５）に送る集水管（２５）とでなり、直流電源装置（１０）はそれぞれ直流電源の正極側（１０−１）に接続したa端子と負極側（１０−２）に接続したb端子と複数の透水性陽陰両極化電極群（２０ａ，２０ｂ，２０ｃ，２０ｂ’，２０ｃ’）の各々に接続したc端子とを有するスイッチ（２１ａ，２１ｂ，２１ｃ，２１ｂ’，２１ｃ’）および直流電源の負極側（１０−２）と陰極（３）の間を接続するスイッチ（１２）を含み、複数の両極化電極群にそれらの配列順に交互に正電圧と負電圧を印加し得るようにしたことを特徴とする請求項１記載の高含水土砂脱水装置。
【請求項４】
複数の陽極群（６ａ，６ｂ，６ｃ，６ｎ，６ｂ’，６ｃ’，６ｎ’）および、または複数の透水性陽陰両極化電極群（２０ａ，２０ｂ，２０ｃ，２０ｂ’，２０ｃ’）でなる陽極（６）および側面部（３Ｗ，３Ｗ’，３Ｂ，３Ｂ’）と床面部（３ｄ）でなる陰極（３）は電極ブロック（３１）として形成され、この電極ブロック（３１）をユニットとして複数の電極ブロックを収容し得る寸法に土槽（１）が形成され、電極ブロック（３１）は土槽に対し出し入れ自在であることを特徴とする請求項２および請求項３記載の高含水土砂脱水装置。
【請求項５】
上部を開口して高含水土砂（Ｇ）を貯留する土槽（１）を地下、半地下または地上に設置し、
土槽（１）の内面を覆う側面部（３Ｗ，３Ｗ’，３Ｂ，３Ｂ’）と床面部（３ｄ）からなる透水性の陰極（３）を設け、
それぞれほぼ等距離に配列した複数の陽極群（６ａ，６ｂ，６ｃ，６ｎ，６ｂ’，６ｃ’，６ｎ’）および、または複数の透水性陽陰両極化電極群（２０ａ，２０ｂ，２０ｃ，２０ｂ’，２０ｃ’）を陰極（３）の内方に離隔して配列し、
直流電源装置（１０）を陰極（３）と複数の陽極群（６）および、または複数の透水性陽陰両極化電極群（２０）に接続して直流電圧を両極間に印加し、
排水装置（１５）を透水性陰極（３）および、または透水性陽陰両極化電極群（２０）に接続して電圧印加による電気浸透で高含水土砂（Ｇ）から透水性陰極（３）および、または透水性陽陰両極化電極群（２０）内に浸透した水を集水し土槽外に排水することを特徴とする高含水土砂脱水方法。
【請求項６】
直流電源装置（１０）をその正電圧側において陽極（６）の電極群（６ａ，６ｂ，６ｃ，６ｎ，６ｂ’，６ｃ’，６ｎ’）の各々と開閉スイッチ（８ａ，８ｂ，８ｃ，８ｎ，８ｂ’，８ｃ’，８ｎ’）のそれぞれを介して接続し、直流電圧印加はスイッチ（１２）を閉じて陰極（３）を直流電源装置（１０）の負電圧側に接続する間に
（ａ）先ず中央に配置した陽極電極群（６ａ）に接続したスイッチ（８ａ）を閉じ、次いで外側に隣接する対の電極群（６ｂ，６ｂ’）に接続したスイッチ（８ｂ，８ｂ’）を閉じ、更に外側に隣接する対の電極群（６ｃ，６ｃ’）に接続したスイッチ（８ｃ，８ｃ’）から最外側の対の電極群（６ｎ，６ｎ’）に接続したスイッチ（８ｎ，８ｎ’）まで順次閉じることによって中央の電極群からその両側に最外側の電極群までの全部に対し行う、
（ｂ）先ず中央の陽極電極群（６ａ）のスイッチ（８ａ）から順次両側に隣接する対の電極群（６ｂ，６ｂ’）のスイッチ（８ｂ，８ｂ’）を経て最外側の対の電極群（６ｎ，６ｎ’）のスイッチ（８ｎ，８ｎ’）まで順次閉じた後開くことにより行う、または
（ｃ）全ての陽極電極群（６ａ，６ｂ，６ｃ，６ｎ，６ｂ’，６ｃ’，６ｎ’）の全てのスイッチ（８ａ，８ｂ，８ｃ，８ｎ，８ｂ’，８ｃ’，８ｎ’）を同時に閉じることにより行う、
のいずれかを脱水状況に応じて選択して行うことを特徴とする請求項５記載の高含水土砂脱水方法。
【請求項７】
陽極（６）の電極群（２０ａ，２０ｂ，２０ｃ，２０ｂ’，２０ｃ’）としてそれぞれ表面に集水孔（２３）を有するストレーナ層（２４）と、ストレーナ層（２４）内に浸透した水を集水して真空ポンプ装置（１５）に送る集水管（２５）とでなるものを配列し、スイッチ（２１）としてそれぞれ直流電源装置（１０）の正極側（１０−１）に接続したａ端子と負極側（１０−２）に接続したｂ端子と電極群（２０ａ，２０ｂ，２０ｃ，２０ｂ’，２０ｃ’）の各々に接続したｃ端子とを有するスイッチ（２１ａ，２１ｂ，２１ｃ，２１ｂ’，２１ｃ’）および直流電源装置（１０）の負極側（１０−２）と陰極（３）の間を接続するスイッチ（１２）を配設し、直流電圧印加はスイッチ（１２）を閉じて陰極（３）を直流電源装置（１０）の負電圧側に接続する間に、
（ａ）先ず中央に配置した陽極電極群（２０ａ）に接続したスイッチ（２１ａ）のｃ端子をａ端子側に接続し、他の両側のそれぞれ対の電極群（２０ｂ，２０ｂ’，２０ｃ，２０ｃ’）のｃ端子はａ，ｂ両端子の中間にセットし、以後外側の対の電極群（２０ｂ，２０ｂ’）のスイッチ（２１ｂ，２１ｂ’）から最外側の対の電極群（２０ｃ，２０ｃ’）のスイッチ（２１ｃ，２１ｃ’）までのｃ端子を順次ａ端子に接続することによって行う、
（ｂ）中央の陽極電極群（２０ａ）のスイッチ（２１ａ）のｃ端子をａ端子に接続し、その外側の対の電極群（２０ｂ，２０ｂ’）のスイッチ（２１ｂ，２１ｂ’）のｃ端子をｂ端子に接続し、最外側の対の電極群（２０ｃ，２０ｃ’）のスイッチ（２１ｃ，２１ｃ’）のｃ端子をａ端子に接続して行う、または
（ｃ）（ｂ）の状態から中央電極群（２０ａ）のスイッチ（２１ａ）のｃ端子をｂ端子に接続し、外側の対の電極群（２０ｂ，２０ｂ’）のスイッチ（２１ｂ，２１ｂ’）のｃ端子をａ端子に接続して行う、
のいずれかを脱水状況に応じて選択して行うことを特徴とする請求項５記載の高含水土砂脱水方法。
【請求項８】
中央の陽極電極群（６ａ；２０ａ）から順次隣接外側の対の電極群（６ｂ，６ｂ’；２０ｂ２０ｂ’）を介して最外側の対の電極群（６ｎ，６ｎ’；２０ｃ，２０ｃ’）までのそれぞれと陰極（３）との間に印加する電圧を順次低くして直流電圧印加を行うと共に，脱水状況により，最外側の電極群への印加後，印加電圧を順次高くして中央電極群（６ａ；２０ａ）まで印加することを特徴とする請求項６または７記載の高含水土砂脱水方法。
【請求項９】
両極間電圧印加による電気浸透での高含水土砂の脱水を、高含水土砂に電解質等を添加することにより行うことを特徴とする請求項５から８のいずれかに記載の高含水土砂脱水方法。
【発明の詳細な説明】
【技術分野】
【０００１】
この発明は建設工事や掘削工事に伴って排出される高含水率土砂等の脱水装置とその脱水方法、特にシルトや含水量が多い粘性土などによる不透水性土質の汚泥と言われ手いる高含水土砂から効率よく脱水する装置と方法に関する。
【背景技術】
【０００２】
従来、高含水率の建設汚泥の含水率を下げて再処理を容易とする改質を行うには、主としてセメントや生石灰などの固化剤の混入による固化処理法や、掘削汚泥の貯留沈殿槽ないし濾過槽により土砂と水を分離する脱水処理法がある。また近年には、脱水処理法の一環として地盤や排出汚泥の中に対向配置した陰極と陽極に直流電流を通電し、電気浸透作用で陰極に集まる水を回収し分離する電気浸透法が提案されている。
【０００３】
固化処理法による場合、含水率が高くなったり工事の規模が大型化したりすれば必要な固化剤も大量となり、固化された大量の土砂の搬送や処理が困難となって、工事の経済性や作業性の面で問題も大きくなる。
【０００４】
脱水処理法は近年多用される市街地等における地下トンネル掘削のための、特に水圧式シールド工法に適用されるが、工事規模の大型化と共に沈殿槽や濾過槽の寸法とその数も大型化せざるを得ず、これらをトンネル外の地表面に設置する場合市街地では大きな問題となる。また、地下の地盤は掘削の進行と共に地質と含水量が常に変化するから、切羽の安定のために必要な水圧やベントナイト或いは高分子吸水剤の混入量の管理を継続的に、充分に行う必要があり、シールド工法全体の構成が複雑化し、大型化する一方、地質の変化と共に土砂、砂礫、粘土質等に応じて高含水土砂の脱水効果が変化し、関連工程の運行に影響が生じる。
【０００５】
電気浸透法には脱水処理対象を地盤とする場合と、掘削排出された高含水土砂とする場合があり、前者では電極を直接地盤内に埋設して通電するに対して、後者では内部に対向電極を設けた貯留土槽内に排出高含水土砂を満たして通電する。地盤に直接通電する場合には電極埋設用のボーリング作業を要するのみならず、電極周辺の脱水を行っても更にその周囲の自由水や地下水が脱水部分に浸入するため脱水作業は際限ない続行を要することとなり、また降雨時や多雨期には円滑な作業が困難となる。また、貯留土槽内での高含水土砂の通電脱水では脱水の進行に伴って土中に乾燥収縮が局部的に発生し、亀裂や空隙が発生し易く、空隙量が増大すると電気抵抗が増大し、電気浸透効果が減少する。
【特許文献１】特開平９−２８７１２７号
【特許文献２】特願２００２−３４９８０１
【発明の開示】
【発明が解決しようとする課題】
【０００６】
上記した水圧式シールド工法によるトンネル掘削工事は大量の高含水土砂を排出するから、その脱水処理には電極を設けた貯留土槽を用いた電気浸透法の適用が有利であるが、
工事進行と共に変化する地質材料とその寸法に対応し得るためには、陽極と陰極の離間距離を大きく保つ必要がある。一方、単に電極間距離を大きくすれば電気浸透効果が減少して脱水量が減少する。これを防止するには、電気浸透の理論式（Ｑ＝Ｋｅ×ｉｅ×Ａ）、ここに
Ｑ：水量
Ｋｅ：電気浸透透水係数５×１０  
ｉｅ：電位勾配Ｖｏｌｔ／ｃｍ
Ａ：陽極と陰極間の浸透面積
により、理論的には電位勾配を高めるべく印加電圧を上げれば良いが、実際には陽極周囲の土砂の急激な脱水固化を招き、上記した様に空隙の発生により電気浸透効果が減少してしまう。本発明はこれらの点に鑑みて提案されたもので、その目的とするところは電気浸透効果を減少することなく、変化する地質材料に応じて効率よく高含水土砂の脱水処理を行い得る高含水土砂脱水装置と高含水土砂脱水方法を提供するにある。
【課題を解決するための手段】
【０００７】
前記課題を解決するため、請求項１の発明に係る高含水土砂脱水装置は、上部を開口し、地下、半地下または地上に設置されて高含水土砂Ｇを貯留する土槽１と，土槽１の内面を覆う側面部３Ｗ，３Ｗ’，３Ｂ，３Ｂ’と床面部３ｄからなる透水性の陰極３と、陰極３と離隔してその内方に設置され、それぞれほぼ等距離に配列した複数の陽極群６ａ，６ｂ，６ｃ，６ｎ，６ｂ’，６ｃ’，６ｎ’および、または複数の透水性陽陰両極化電極群２０ａ，２０ｂ，２０ｃ，２０ｂ’，２０ｃ’と、陰極３と複数の陽極群６および、または複数の透水性陽陰両極化電極群２０に接続して直流電圧を両極間に印加する直流電源装置１０と、電圧印加による電気浸透で高含水土砂Ｇから透水性の陰極３および、または透水性陽陰両極化電極群２０ａ，２０ｂ，２０ｃ，２０ｂ’，２０ｃ’内に浸透した水を集水して土槽外に排水する排水装置１５とを備えることを特徴とする。陽極６は中央の電極群６ａ；２０ａとその両側に順次配設した複数対の電極群６ｂ，６ｂ’；６ｃ，６ｃ’；６ｎ，６ｎ’：２０ｂ，２０ｂ’；２０ｃ，２０ｃ’でなるが，それぞれの電極群は複数の電極素体で構成するか、板状の電極を組合せた格子状のものとすることが可能である。排水装置はまた、透水性陰極の規模、寸法が大きくなれば透水性陰極内部に設置した水中ポンプとする或いはこれを含むものとすることが可能である。
【０００８】
請求項２に記載の高含水土砂脱水装置は、土槽１の上部開口を塞ぐと共に複数の陽極群６ａ，６ｂ，６ｃ，６ｎ，６ｂ’，６ｃ’，６ｎ’を所定位置に保持する絶縁板６−１を備え、絶縁板６−１は土槽内の高含水土砂に接する側に透水性のストレーナ層６−３を有し、陰極３の各面部３Ｗ，３Ｗ’，３Ｂ，３Ｂ’，３ｄの内部に延長する集水管４および絶縁板６−１のストレーナ層６−３の内部に通ずる集水管７と、排水用真空ポンプ装置１５とにより陰極内部に浸透した水と共に土槽内の高含水土砂の上層に分離した水をも集水し得ることを特徴とする。
【０００９】
請求項３の高含水土砂脱水装置は、複数の透水性陽陰両極化電極群２０ａ，２０ｂ，２０ｃ，２０ｂ’，２０ｃ’がそれぞれ表面に集水孔２３を有するストレーナ層２４と、ストレーナ層２４内に浸透した水を集水して真空ポンプ装置１５に送る集水管２５とでなり、直流電源装置１０はそれぞれ直流電源の正極側１０−１に接続したa端子と負極側１０−２に接続したb端子と電極群２０ａ，２０ｂ，２０ｃ，２０ｂ’，２０ｃ’の各々に接続したｃ端子とを有するスイッチ２１ａ，２１ｂ，２１ｃ，２１ｂ’，２１ｃ’および直流電源の負極側１０−２と陰極３の間を接続するスイッチ１２を含み、両極化電極群２０ａ，２０ｂ，２０ｃ，２０ｂ’，２０ｃ’にそれらの配列順に交互に正電圧と負電圧を印加し得るようにしたことを特徴とする。
【００１０】
請求項４の高含水土砂脱水装置は、複数の電極群６ａ，６ｂ，６ｃ，６ｎ，６ｂ’，６ｃ’，６ｎ’および、または複数の透水性陽陰両極化電極群２０ａ，２０ｂ，２０ｃ，２０ｂ’，２０ｃ’でなる陽極６、および側面部３Ｗ，３Ｗ’，３Ｂ，３Ｂ’と床面部３ｄでなる陰極３は電極ブロック３１として形成され、この電極ブロック３１をユニットとして複数の電極ブロックを収容し得る寸法に土槽１が形成され、電極ブロック３１は土槽に対し出し入れ自在であることを特徴とする。
【００１１】
また、前記課題を解決するため、請求項５に係る高含水土砂脱水方法は、上部を開口して高含水土砂Ｇを貯留する土槽１を地下、半地下または地上に設置し、土槽１の内面を覆う側面部３Ｗ，３Ｗ’，３Ｂ，３Ｂ’と床面部３ｄからなる透水性の陰極３を設け、それぞれほぼ等距離に配列した複数の陽極群６ａ，６ｂ，６ｃ，６ｎ，６ｂ’，６ｃ’，６ｎ’および、または複数の透水性陽陰両極化電極群２０ａ，２０ｂ，２０ｃ，２０ｂ’，２０ｃ’を陰極３の内方に隔離して配列し、直流電源装置１０を陰極３と複数の陽極群６および、または複数の透水性両極化電極群２０に接続して直流電圧を両極間に印加し、排水装置１５を透水性陰極３および、または透水性両極化電極群２０に接続して電圧印加による電気浸透で高含水土砂Ｇから透水性陰極３および、または透水性両極化電極群２０内に浸透した水を集水し土槽外に排水することを特徴とする。
【００１２】
請求項６による高含水土砂脱水方法は更に、直流電源装置１０をその正電圧側において陽極６の電極群６ａ，６ｂ，６ｃ，６ｎ，６ｂ’，６ｃ’，６ｎ’と開閉スイッチ８ａ，８ｂ，８ｃ，８ｎ，８ｂ’，８ｃ’，８ｎ’のそれぞれを介して接続し、直流電圧印加はスイッチ１２を閉じて陰極３を直流電源装置１０の負電圧側に接続する間に、
（ａ）先ず中央に配置した電極６ａに接続したスイッチ８ａを閉じ、次いで外側に隣接する対の電極群６ｂ，６ｂ’に接続したスイッチ８ｂ，８ｂ’を閉じ、更に外側に隣接する対の電極群６ｃ，６ｃ’に接続したスイッチ８ｃ，８ｃ’から最外側の対の電極群６ｎ，６ｎ’に接続したスイッチ８ｎ，８ｎ’まで順次閉じることによって中央の電極からその両側に最外側の電極群までの全部に対して行う、
（ｂ）先ず中央の電極６ａのスイッチ８ａから順次両側に隣接する対の電極群６ｂ，６ｂ‘のスイッチ８ｂ，８ｂ’を経て最外側の対の電極群６ｎ，６ｎ’のスイッチ８ｎ，８ｎ’まで順次閉じた後開くことにより行う、または
（ｃ）全ての電極群６ａ，６ｂ，６ｃ，６ｎ，６ｂ’，６ｃ’，６ｎ’の全てのスイッチ８ａ，８ｂ，８ｃ，８ｎ，８ｂ’，８ｃ’，８ｎ’を同時に閉じることにより行う、
のいずれかを脱水状況に応じて選択して行うことを特徴とする。    
【００１３】
請求項７による高含水土砂脱水方法はまた、陽極６の電極群２０ａ，２０ｂ，２０ｃ，２０ｂ’，２０ｃ’としてそれぞれ表面に集水孔２３を有するストレーナ層２４と、ストレーナ層２４内に浸透した水を集水して真空ポンプ装置１５に送る集水管２５とでなるものを配列し、スイッチ２１としてそれぞれ直流電源装置１０の正極側１０−１に接続したａ端子と負極側１０−２に接続したｂ端子と電極群２０ａ，２０ｂ，２０ｃ，２０ｂ’，２０ｃ’の各々に接続したｃ端子とを有するスイッチ２１ａ，２１ｂ，２１ｃ，２１ｂ’，２１ｃ’および直流電源装置１０の負極側１０−２と陰極３の間を接続するスイッチ１２を配設し、直流電圧印加はスイッチ１２を閉じて陰極３を直流電源装置１０の負極側に接続する間に、
（ａ）先ず中央に配置した陽極電極２０ａに接続したスイッチ２１ａのｃ端子をａ端子側に接続し、他の両側のそれぞれ対の電極群２０ｂ，２０ｂ’，２０ｃ，２０ｃ’のｃ端子はａ，ｂ両端子の中間にセットし、以後外側の対の電極群２０ｂ，２０ｂ’のスイッチ２１ｂ，２１ｂ’から最外側の対の電極群２０ｃ，２０ｃ’のスイッチ２１ｃ，２１ｃ’間でのｃ端子を順次ａ端子に接続することによって行う、
（ｂ）中央の電極棒２０ａのスイッチ２１ａのｃ端子をａ端子に接続し、その外側の対の電極群２０ｂ，２０ｂ’のスイッチ２１ｂ，２１ｂ’のｃ端子をｂ端子に接続し、最外側の対の電極群２０ｃ，２０ｃ’のスイッチ２１ｃ，２１ｃ’のｃ端子をａ端子に接続して行う、または
（ｃ）土砂の脱水状況により、陽極の各電極群のスイッチのｃ端子をａ端子とｂ端子に切換えて、（ｂ）の状態から電極群２０ａのスイッチ２１ａのｃ端子をｂ端子に接続し、他のスイッチ２１ｂ、２１ｂ’のｃ端子をａ端子に接続する、
のいずれかを脱水状況に応じて選択して行うことを特徴とする。
【００１４】
請求項８による高含水土砂脱水方法は、中央の陽極電極群６ａ；２０ａから順次隣接外側の対の電極群６ｂ，６ｂ’；２０ｂ，２０ｂ’までのそれぞれと陰極３との間に印加する電圧を順次低くして直流電圧印加を行うと共に、脱水状況により最外側の電極群に直流電圧を印加後、中央電極群まで順次電圧を高くして直流電圧印加を行うことを特徴とする。
【００１５】
請求項９による高含水土砂脱水方法は、両極間電圧印加による電気浸透での高含水土砂の脱水を、高含水土砂に電解質を添加することにより行うことを特徴とする。
【発明の効果】
【００１６】
この発明によれば、電気浸透法による脱水のための陰極を高含水土砂貯留土槽の少なくとも内周側面と内床面を覆う面状にかつ透水性を持たせて設けると共に、陽極を互いにかつ陰極からほぼ等距離に配列した電極群で形成したので、水の電気浸透に有効な面積が顕著に増加し、浸透集水効果と脱水量が大幅に向上する。
【００１７】
また、陽極を互いにかつ陰極からほぼ等距離とした複数の電極群で形成したから、同極性の電極棒間の絶縁構成が簡易化され、簡易化された絶縁構成を利用して土槽上部に分離する貯留高含水土砂の水を集水する装置を付加でき、脱水量が更に向上する。
【００１８】
陰極と陽極を土槽に対して出し入れ自在なブロック構成とし、この電極ブロックをユニットとして複数のユニットを収容し得る寸法に形成したので、発生高含水土砂量の増減に対応して高含水土砂脱水装置の寸法を増減でき、装置の大規模化に対応できる。
【００１９】
両極間電圧印加による電気浸透脱水を、高含水土砂に電解質を添加して行うので脱水効率が向上する。
【発明を実施するための最良の形態】
【００２０】
以下にこの発明のいくつかの実施例を添付図面に基づいて説明する。
【実施例１】
【００２１】
図1はこの発明に係る、電気浸透法による高含水土砂脱水装置の一実施例構成の略図的断面図である。
【００２２】
図1において、高含水土砂Ｇを貯留する土槽１は側壁と床壁を備え、上方を開口としたほぼ長方形の箱状に形成する。材質としては金属、コンクリート、樹脂等のいずれでも良いが、外壁においてアース２を設けることが望ましい。
【００２３】
土槽１の上方開口以外の壁面の内周側面を覆う側面部３Ｗ，３Ｗ’，３Ｂ，３Ｂ’と内床面を覆う床面部３ｄとでなるほぼ長方形箱状の陰極３を土槽1内に設置する。陰極３は内周面を透水性の有孔板３−１で、外周面を不透水性の裏板３−２で構成し、有孔板３−１と裏板３−２の間にストレーナ層３−３を設け、ストレーナ層３−３内には有孔板３−１を通して入る水を集水可能な集水孔を有する複数の集水管４が陰極床面部３ｄのほぼ中央から側面部３Ｗ，３Ｗ’，３Ｂ，３Ｂ’を通って（図では便宜上側面部３Ｗ，３Ｗ’内のもののみ示す）土槽1の上方外部に延長する。望ましくは、陰極のストレーナ層３−３内には更に、土槽1上方から陰極の少なくとも側面部３Ｗ，３Ｗ’を通って床面部３ｄのほぼ中央までエアーを供給する吸気管5が設けられる。陰極３の側面部の上端縁は仕切板３−４で閉じられる。
【００２４】
陰極３は直流電源装置１０の負極側にスイッチ１２と電流計13を介して接続されるが、図では陰極3を便宜上側面部３Ｗ−３Ｂ’と床面部３ｄとを別個に作成したので、２本の電線のそれぞれで側面部３Ｗと床面部３ｄおよび装置１０の負極側の間を、それぞれ電流計１３とスイッチ１２−１または１２−２を介して接続してある。陰極と直流電源の間は所望により更に多数の電線とスイッチを介して接続しても良い。
【００２５】
陽極６は複数の電極群、ここではほぼ長方形箱状の土槽1ないし陰極３の長手方向のほぼ中央に位置する電極群６ａと、長手方向において両側で中央の電極６ａに隣接する対の電極群６ｂ，６ｂ’と、更にその両側で順次隣接して配列した各対の電極群６ｃ，６ｃ’，６ｎ，６ｎ’とでなり、これら電極群は箱状の陰極３の上部開口を塞ぐ電気的に絶縁性の絶縁板６−１により互いにほぼ等間隔でかつ陰極の側面部３Ｗ，３Ｗ’，３Ｂ，３Ｂ’と床面部３ｄともほぼ等距離となるよう、開口部から床面部３ｄに向けて延長するように保持される。
【００２６】
絶縁板６−１はまた、土槽１内の高含水土砂Ｇに面する側に透水性の有孔板６−２を備えると共に絶縁板６−１と有孔板６−２との間にストレーナ層６−３を挟持し、更に土槽上方から絶縁板６−１を貫通してストレーナ層６−３内に開口または集水孔を有する複数の集水管７を立設し、外部の真空ポンプ装置１５に接続する。これにより、主として土槽内に貯留した高含水土砂Ｇの上部に分離した水がストレーナ層６−３内に入り、集水管７で集水され得る。
【００２７】
陽極の各電極群６ａ−６ｎ’はそれぞれ電線１１により、電流計１３、開閉スイッチ８ａ，８ｂ，８ｃ，８ｂ’，８ｃ’，８ｎ’および電圧計１４を介して直流電源装置１０の正極側に接続される。
【００２８】
電極群６ａ−６ｎ’は導電性材料により円筒形、角柱形、格子板形状等のいずれかに形成され、内方先端を円錐形等にして高含水土砂を構成する土砂等への挿入を容易とし、また高含水土砂の脱水後に土砂等が付着し難い構成または表面とする。
【００２９】
陰極３内の集水管４と、陽極を保持する絶縁板６−１の集水管７はいずれも排水装置としての真空ポンプ装置１５に接続され、その間に排水量を計測し得る流量計１７を設ける。真空ポンプ装置１５には排水管１６が接続される。
【００３０】
陽極６の複数の電極群６ａ−６ｎ’の相互間の間隔ｘ１，ｘ２，．．．ｘｎ，ｘ１’，ｘ２’，．．．ｘｎ’はいずれもほぼ同じとし、また各電極群６ａ−６ｎ’と陰極３の各側面部３Ｗ，３Ｗ’，３Ｂ，３Ｂ’ならびに床面部３ｄとの間の離間距離ｘＨのいずれも相互にかつ電極群間隔ともほぼ同じとすることが望ましい。
【００３１】
この実施例では陽極６を構成する複数の電極群を奇数として記載したが、これは偶数でもよい。また、陰極３と陽極６には鉄、銅、アルミニユーム、白金等の導電性で機械的強度も高い材料を使用する。
【００３２】
絶縁板６−１には、天然ゴム混合物、ビニール混合物、エポキシ樹脂、架橋ポリエチレン混合物等の電気絶縁性で、機械的強度と耐久性の高い材料を用いる。
【００３３】
上記の構成の電気浸透法による高含水土砂脱水装置の動作について述べれば、土槽1内に設置した陰極３の上方開口からシールド工法や浚渫工事等で排出される高含水土砂Ｇを投入する。
【００３４】
陰極３内に充填した高含水土砂Ｇに対して複数の陽極電極群６ａ−６ｎ’を上記した配列と間隔で圧入する。望ましくは、上記配列と間隔で電極群６ａ−６ｎ’を保持する絶縁板６−１を箱状陰極３の上方開口部に填め込み、絶縁板の有孔板６−２を高含水土砂Ｇの上面に当接させる。ここで高含水土砂Ｇは箱状の陰極３および複数の電極群６ａ−６ｎ’でなる陽極６に対しこれまでよりはるかに広い面を持って電気的に接触することとなる。
【００３５】
先ず、複数の陽極電極群のうち中央に位置する電極群６aを直流電源装置１０の正極側に接続するスイッチ８ａと、陰極３の側面部３Ｗ，３Ｗ’，３Ｂ，３Ｂ’および床面部３ｄを直流電源装置１０の負極側にそれぞれ接続するスイッチ１２−１，１２−２とを閉じて両電極間に直流電圧を印加する。この電圧印加により高含水土砂中に生じる電気浸透の結果として、高含水土砂中の水Ｗが中央電極群６ａから陰極の各側面部３Ｗ−３Ｂ’と床面部３ｄに向けて側方向Ｗｗ，Ｗｗ’と下方向Ｗｄに移動する。このとき、後述するように上部の絶縁板６−１の有孔板６−２に向かう上方向Ｗｕにも移動が生じる。
【００３６】
陰極各側面部３Ｗ−３Ｂ’と床面部３ｄに到達した水Ｗは各部の有孔板３−１を通ってストレーナ層３−３内に浸透し、蓄積される。蓄積された浸透水は、真空ポンプ装置１５を稼動させることによって集水管４に集水され、排水管１６を介して排水される。
【００３７】
仕切り板３−４で上部開口を閉鎖されている陰極のストレーナ層３−３内にはエアー供給用の給気管５を設けてあるので、集水と同時に給気を行えばストレーナ内が減圧されることはなく、浸透水は真空ポンプ装置１５により排水される。
【００３８】
高含水土砂Ｇを構成する土質が例えば砂礫や礫等であれば、水Ｗは真空ポンプ作動により有孔板３−１を通して容易に分離され、ストレーナ層３−３内に吸引されるから、この場合は給気を行わずに吸引排水を行い、ストレーナ層内を減圧することが有効である。
【００３９】
ここでは陰極用のスイッチ１２−１，１２−２と共にスイッチ８aのみを閉じて陰極３と中央の陽極電極群６ａのみに直流電圧を印加しており、他の電極群６ｂ，６ｃ．．．６ｎ，６ｂ’，６ｃ’．．．６n‘には印加していないが、箱状の陰極３の全面と中央の陽極電極群６ａとの間に対する電圧印加により土槽１内の汚泥Ｇの全般はほぼ同電位とされる。このため中央の電極６ａの全面は＋に、両側の他の電極群６ｂ−６ｎ’の中央電極群６ａに向く側の面は−にかつ陰極３に向く側の面は＋に、それぞれ帯電する。
【００４０】
このように両側の陽極電極群６ｂ−６ｎ’の−に帯電した部分が見掛け上の陰極となり、中央電極６ａ付近にある水Ｗは両側の各電極群の−帯電部と＋帯電部とを介して次々に外側の電極群に移動し、最外側の電極群６ｎ，６ｎ’の＋帯電部から、箱状陰極３の長手方向の側面部３Ｗ，３Ｗ’への方向Ｗｗ，Ｗｗ’に移動する。同様に中央電極群と両側電極群の＋帯電部から箱状陰極３の短手方向の側面部３Ｂ，３Ｂ’への方向ならびに床面部３ｄへの方向Ｗｄにも水Ｗは移動する。陰極３各部に達してその内部に浸透した水は上記したように吸引集水され、排水される。
【００４１】
＋帯電の中央電極群から両側電極群の＋帯電部に移動した水Ｗの一部は上部への方向Ｗｕに移動し、上方移動水は絶縁板６の有孔板６−２を通ってストレーナ６−３内に浸透し、集水管７を介して吸引され、排水される。
【００４２】
電流計１３、電圧計１４および流量計１７により高含水土砂Ｇの脱水状況を把握しつつ脱水の進行を確認して、適時に、閉状態のスイッチ８ａと１２−１，１２−２に加えてスイッチ８ｂ，８ｂ’を閉じ、陽極の中央電極群６ａとその両側に隣接する対の電極群６ｂ，６ｂ’および陰極３の各部３Ｗ−３ｄに直流電圧を印加する。この第２次の印加電圧は最初の印加電圧、つまり陽極を中央電極群６ａのみとした第１次の電圧印加時の電圧より低くすることが望ましい。
【００４３】
次いで、脱水の進行確認後、第３次の電圧印加として上記に加え更にスイッチ８ｃ，８ｃ’を閉じ、更に外側に隣接する対の電極群６ｃ，６ｃ’を加えた陽極電極群６ａ，６ｂ，６ｂ’，６ｃ，６ｃ’および陰極各部３Ｗ−３ｄに、望ましくは第２次の印加電圧より低い電圧を印加する。
【００４４】
このようにして脱水の進行に応じ、順次隣接する対の陽極電極群を外側に増やし、順次電圧を下げて直流電圧を印加して行き、最外側の対の陽極電極群６ｎ，６ｎ’まで含めた全電極群６ａ−６ｎ’を陽極としかつ最も低い電圧による最終次の電圧印加まで継続して行って、高含水土砂の脱水を完了する。また最外側の電極群に直流電圧を印加後、脱水状況により電圧を順次高くして直流電圧を印加する。脱水が完了すれば、図示しない排土装置により土槽１内の土砂を排出する。
【００４５】
直流電圧印加の方法としては、上記以外にも、脱水状況によって下記のいずれかを採用し得る。  
（１）先ず土槽１の中央に配置した陽極電極群と陰極全部とに接続されたスイッチを閉じて直流電圧印加を行い、次にこの中央の陽極電極へのスイッチは開いて中央電極群の両外側の対の陽極電極群へのスイッチを閉じてこれら陽極電極群と陰極との間に電圧印加を行い、以下、電圧を印加する陽極電極群を順次外側の対の陽極電極群に切り替え、最外側の対の電極群に至るまで順次直流電圧印加を行う。
（２）全てのスイッチを閉じたまま全ての陽極電極群と陰極とに継続して直流電圧印加を行う。  
【実施例２】
【００４６】
図２は、基本的に図１に示す実施例１と同じ構成において陽極を構成する複数の電極群とこれらを直流電源装置に接続するスイッチの構成を変更した実施例２を示し、実施例１と同じ構成要件については同一番号で表す。
【００４７】
図２において陰極３と直流電源装置１０の負極側１０−２との間を接続する電線１１に挿入したスイッチ１２は、実施例１のものと同じである。
【００４８】
実施例２において陽極６を構成する電極群も複数（ここでは５本）２０ａ，２０ｂ，２０ｃ，２０ｂ’，２０ｃ’でなり、それぞれ実施例１と同じ相互間隔と陰極との距離とを持って配置されるように、絶縁性の絶縁板６−１により固定支持されるが、電極群はそれぞれ実質的に陰極３と同じく透水構成に形成される。
【００４９】
電極群２０ａ−２０ｃ’はそれぞれ集水孔２３を周面に有するストレーナ層２４と、そのほぼ中心に延長する集水管２５とで構成され、全体として導電性を有すると共に、集水管２５は陰極３からの集水管４と土槽１外で接続され、真空ポンプ装置１５の作動によって各電極群からも電気浸透による集水を可能とする。
【００５０】
電極群２０ａ−２０ｃ’のそれぞれを直流電源装置１０に接続する複数のスイッチ２１ａ，２１ｂ，２１ｃ，２１ｂ’，２１ｃ’は各々直流電源装置１０の正極側１０−１に接続したａ端子と、装置１０の負極側１０−２に接続したｂ端子と、電極群２０ａ−２１ｃ’の各々に接続したｃ端子とを備える。
【００５１】
高含水土砂Ｇを脱水処理する直流電圧印加は実質的に実施例１の場合と同様に行う。即ち、先ず陰極３へのスイッチ１２を閉じ、スイッチ２１ａのｃ端子をａ端子に接続して、陽極電極群の配列方向の中央に位置する電極群２０ａと陰極３に直流電圧を印加する。この時他のスイッチ２１ｂ，２１ｃ，２１ｂ’，２１ｃ’は中間点にセットし、中央電極群の両側の電極群２０ｂ，２０ｂ’，２０ｃ，２０ｃ’には電圧を印加しない。従って、実施例１の動作について述べたように、これら両側の電極群の表面が部分的に−に帯電し、高含水土砂内の水が中央の電極群２０ａから両側の電極群の−帯電部を経て陰極３まで順次移動し、その間に水は面状に配した陰極３の浸透集水のみならず、各陽極電極群の集水孔２３、ストレーナ層２４と集水管２５による浸透集水構成と真空ポンプ装置１５による吸引作用とによって効果的に脱水される。
【００５２】
以後実施例１と同様の順序で陽極電極群へのスイッチの切り替えと印加電圧の制御を行い、中央の電極群から最外側の電極群までの順次電圧印加を行って脱水処理を遂行する。
【００５３】
脱水状況に応じて以下に述べるスイッチ操作を行っても良い。即ち：
先ず、陰極３へのスイッチ１２を閉じる間に、スイッチ２１ａのｃ端子をａ端子に接続して中央の陽極電極群２０ａに正電圧を印加する一方、スイッチ２１ｂ，２１ｂ’のｃ端子をｂ端子に接続して両外側の対の電極群２０ｂ，２０ｂ’には負電圧を印加すると共に、スイッチ２１ｃ，２１ｃ’のｃ端子はａ端子に接続して最外側の対の電極群２０ｃ，２０ｃ’には正電圧を印加することにより、上述した一連の陽極電極群の集水構成による脱水効果をより積極的に促進しうる。従ってこの場合、複数の電極群２０ａ，２０ｂ，２０ｃ，２０ｂ’，２０ｃ’は陽陰両極化される電極群として機能する。
【００５４】
特に土槽１が大型で、陽極電極群の数を多くすることを要する場合には、前述したスイッチ２１ａ−２１ｃ’のａ端子、ｂ端子および中間点を用いたスイッチ切り替えによる直流電圧印加が集水効果上有効である。また、複数の陽極群については、実施例１の陽極群６ａ，６ｂ−６ｎ，６ｂ’−６ｎ’を本実施例の透水性で陽陰に両極化する電極群２０ａ，２０ｂ，２０ｃ，２０ｂ’，２０ｃ’と併置しておけば、上述した各種の脱水状況に応じた各種の電圧印加方法による幅広い応用において確実な脱水効果を達成することができる。
【実施例３】
【００５５】
図３は実施例１または実施例２の箱状陰極と複数の陽極電極群とによる構成をブロック化した実施例３を示す。
【００５６】
図３において、箱状陰極３、集水管４、複数の電極群でなる陽極６および両極を直流電源装置１０に接続する電線１１を含む実施例１または実施例２の電極構成をブロック３１として作成する。土槽３２はこの電極ブロック３１をユニットとして複数のブロック（ここでは３ブロックを示す）を収容し得る寸法に形成する。電極への直流電圧印加のためのスイッチないし直流電源装置１０と、電極内に浸透した水を吸引集水ないし排水する真空ポンプ装置１５とは、前述の実施例１または実施例２と同様にブロック３１毎に配置するか、全ブロック３１に対して統一的に配置し、ブロック毎に前述の動作を行わせる。この実施例３によれば、土槽を含む脱水装置を大型化して脱水処理容量を大幅に増大することが可能となる。
【００５７】
本実施例では直流電源装置１０を１台としたが、ブロック３１毎に直流電源装置１０を設け、ブロック３１毎に印加電圧と印加時間を設定することにより、土質の異なる土砂の脱水や、処理土量を自由に設定することが可能となり、脱水効率が向上する。この場合、各ブロック３１間には図示しない電気絶縁物を設け、各ブロック３１間を電気的に絶縁することが望ましい。
【実施例４】
【００５８】
実施例１から実施例３までの脱水装置を用いた本発明の汚泥脱水処理は、透水性の陰極を箱状として拡大された陰極面をもって複数の陽極電極群ないしは複数の透水性両極化電極群に対峙させることにより電気浸透を発生させる点を特徴とする方法をなし、更に複数の陽極電極群と陰極への直流電圧印加の手順においても特徴の在る方法をなすが、ここではこの高含水土砂脱水方法の効果を更に向上する例を実施例４として説明する。
【００５９】
ここではトンネル掘削のシールド工法や浚渫工事等で発生する高含水土砂中に先ず、（１）塩化カリューム、（２）硫酸バンド等の電解質と（３）炭素を添加し、以後は実施例１または実施例２について記載した直流電圧印加による電気浸透を生じさせ、高含水土砂の脱水処理を行う。
【００６０】
図４は上記３種の電解質（１）−（３）を比較して、それぞれ高含水土砂に添加して脱水した場合の電解質の添加量と脱水効率との関係を示し、電解質を添加しない場合の脱水効率（縦軸）を１００とする。添加量は汚泥の土質や含水量などに応じて事前の実験で決定されるが、例えば、下部有楽町層の汚泥に、最も効率の良い塩化カリュームを添加する場合９００ｇ／ｍ３程度とすることが望ましい。ここで、電解質の中でもイオン化傾向の強い順に脱水効果があり、その順序はＫ,Ｃａ,Ｎａ,Ｍｇ,Ａｌとなっているが、環境面で有害とならない化合物を採用することが望ましい。
【００６１】
塩化カリュームは脱水効率が１７０−２００％と３種の中で最も良い効率を示すばかりでなく、食品添加物や試薬等として広く使われているように安全性も高いので環境面から見ても最適な電解質と考えられる。炭素は脱水効率が１２０−１５０％だが、脱水処理後の土は改良土として植栽や木造建築物の基礎用として埋め戻し等に用いるに適する。
【００６２】
尚、上記の実施例１から３までのいずれにおいても陰極３は土槽１の内周面と内床面の双方を覆って設けるものとして記載したが、本発明はこれに限定されるものではなく、内周面のみ、または内床面のみを覆うように設けたものでも良い。いずれの場合も陰極は面状に広がって陽極群に対峙し、高効率の電気浸透をもって透水性の陰極内に水を浸透させうるが、その意味では実施例のように土槽の全内面に沿って陰極を設ける構成が有利である。
【００６３】
このように、この発明に係る高含水土砂脱水装置は、請求項１に記載のとおり、上部を開口した地下、半地下又は地上に設置されて高含水土砂Ｇを貯留する土槽１と、土槽１の内面を覆う側面部と床面ぶからなる透水性の陰極３と、陰極３と隔離してその内方に設置され、ほぼ等距離に配列した複数の陽極群６および、または複数の透水性陽陰両極化電極群２０と、陰極３と複数の陽極群６および、または複数の透水性陽陰両極化電極群２０に接続して直流電圧を両極間に印加する直流電源装置１０と、電圧印加による電気浸透で高含水土砂Ｇから透水性陰極３および、または透水性両極化電極群２０内に浸透した水を集水して土槽外に排水する排水装置１５とを備えるので、電気浸透の際の浸透面積が増大し、脱水効率が大幅に向上する。
【００６４】
また、この発明に係る高含水土砂脱水方法は、請求項５に記載のとおり、上部を開口して高含水土砂を貯留する土槽１を地下、半地下または地上に設置し、土槽１の内面を覆う側面部と床面部からなる透水性の陰極３を設け、それぞれほぼ等距離に配列した複数の陽極群６および、または複数の透水性陽陰両極化電極群２０を陰極３の内方に離隔して配列し、直流電源装置１０を陰極３と複数の陽極群６および、または複数の両極化電極群に接続して直流電圧を両極間に印加し、排水装置１５を透水性陰極３および、または透水性両極化電極群２０に接続して電圧印加による電気浸透で高含水土砂Ｇから透水性陰極３および、または透水性両極化電極群２０内に浸透した水を集水し土槽外に排水するので、陰陽両電極間の電気浸透面積が増大し、脱水効率が大幅に向上する。
【００６５】
更に、この発明に係る高含水土砂脱水方法は、請求項６−９に記載のとおり、複数の電極群の中央のものから両側の最外側のものまでに対する各スイッチを順次開閉したり、少なくとも順次印加電圧を低くして電圧印加を行うので、両電極間の電気浸透面積が更に増加され、また、高含水土砂中に電解質を添加して電気浸透を行うので、脱水効率が更に向上する。
【図面の簡単な説明】
【００６６】
【図１】この発明に係る高含水土砂脱水装置の第一実施例の構成を示す縦断面図。
【図２】この発明に係る高含水土砂脱水装置の第２実施例の構成を示す縦断面図。
【図３】この発明に係る高含水土砂脱水装置の第３実施例の構成を示す縦断面図。
【図４】この発明に係る高含水土砂脱水方法の一実施例における電解質添加量と脱水効率の関係図。
【符号の説明】
【００６７】
１    土槽
３    陰極
３Ｗ，３Ｗ’，３Ｂ，３Ｂ’    側面部
３ｄ  床面部
３−１    有孔板
３−２    裏板
３−３    ストレーナ層
４    集水管
５    給気管
６    陽極
６ａ，６ｂ，６ｃ，６ｎ，６ｂ’，６ｃ’，６ｎ’  陽極群
６−１    絶縁板
６−２    有孔板
６−３    ストレーナ層
７    集水管
８ａ，８ｂ，８ｃ，８ｎ，８ｂ’，８ｃ’，８ｎ’  スイッチ
１０    直流電源装置
１１    電線
１２    スイッチ
１５    真空ポンプ装置
２０ａ，２０ｂ，２０ｃ，２０ｂ’，２０ｃ’    透水性陽陰両極化電極群
２１ａ，２１ｂ，２１ｃ，２１ｂ’，２１ｃ’    スイッチ
２３    集水孔
２４    ストレーナ層
２５    集水管
３１    電極ブロック
３２    土槽
【図１】
2005095814.tif 000003
【図２】
2005095814.tif 000004
【図３】
2005095814.tif 000005
【図４】
2005095814.tif 000006